【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  基底面と、前記基底面のエッジから突出した側壁により限定される収納空間を有する収納部と、
前記基底面の上部に配置され光を発生する光源部と、
前記光源部から射出される光の光学的特性を調節するための光調節手段と、
前記光源部から発生するノイズを遮断するためのノイズ遮断手段とを含むことを特徴とするバックライトアセンブリ。
【請求項２】  前記光調節手段は、前記光源部の上部に位置して前記光源部で発生された光を拡散するための光拡散部と、前記光拡散部の上部に位置して前記光拡散部により拡散された光の輝度を向上するための集光部とを含み、前記ノイズ遮断手段は透明導電性部材であることを特徴とする請求項１に記載のバックライトアセンブリ。
【請求項３】  前記透明導電性部材は透明フィルム及び前記透明フィルムの表面に形成された透明導電膜を含むことを特徴とする請求項２に記載のバックライトアセンブリ。
【請求項４】  前記透明導電膜の表面抵抗は１０ｋΩ／ｍ2より小さいことを特徴とする請求項３に記載のバックライトアセンブリ。
【請求項５】  前記透明導電膜の接地表面抵抗は５０ｋΩ／ｍ2より小さいことを特徴とする請求項３に記載のバックライトアセンブリ。
【請求項６】  前記集光部は、前記光拡散部により拡散された光の視野角を狭くすることにより、正面輝度を向上するための複数のプリズムを含み、
前記透明導電性部材は前記光拡散部と前記集光部との間に位置することを特徴とする請求項２に記載のバックライトアセンブリ。
【請求項７】  前記集光部は上部ポリマ、前記上部ポリマと対向する下部ポリマ及び前記上部ポリマと下部ポリマとの間で積層される相異する屈折率を有する複数のフィルムを備え、前記透明導電性部材は前記光拡散部と前記下部ポリマとの間に位置することを特徴とする請求項３に記載のバックライトアセンブリ。
【請求項８】  前記透明導電性部材は前記光拡散部の下部に位置することを特徴とする請求項２に記載のバックライトアセンブリ。
【請求項９】  前記集光部は上部ポリマ、前記上部ポリマと対向する下部ポリマ及び前記上部ポリマと下部ポリマとの間で積層される相異する屈折率を有する複数のフィルムを備え、前記透明導電性部材は上部ポリマの上部に位置することを特徴とする請求項２に記載のバックライトアセンブリ。
【請求項１０】  前記光拡散部を経た光をさらに拡散させるための補助光拡散部を前記集光部下部にさらに含み、前記透明導電性部材は前記光拡散部と前記補助光拡散部との間に位置することを特徴とする請求項２に記載のバックライトアセンブリ。
【請求項１１】  前記集光部は、前記光拡散部により拡散された光の視野角を狭くすることにより、正面輝度を向上するための複数のプリズムを含み、
前記透明導電性部材は前記集光部の基底面にコーティングされた透明導電膜を含むことを特徴とする請求項２に記載のバックライトアセンブリ。
【請求項１２】  前記透明導電膜の表面抵抗は１０ｋΩ／ｍ2より小さいことを特徴とする請求項１１に記載のバックライトアセンブリ。
【請求項１３】  前記透明導電膜の接地表面抵抗は５０ｋΩ／ｍ2より小さいことを特徴とする請求項１１に記載のバックライトアセンブリ。
【請求項１４】  前記集光部は上部ポリマ、前記上部ポリマと対向する下部ポリマ及び前記上部ポリマと下部ポリマとの間で積層される相異する屈折率を有する複数のフィルムを備え、前記透明導電性部材は前記下部ポリマ基底面にコーティングされた透明導電膜を含むことを特徴とする請求項２に記載のバックライトアセンブリ。
【請求項１５】  前記透明導電性部材は前記上部ポリマの上部面にコーティングされた透明導電膜をさらに含むことを特徴とする請求項１４に記載のバックライトアセンブリ。
【請求項１６】  前記透明導電性部材は前記光拡散部の下部面にコーティングされた透明導電膜をさらに含むことを特徴とする請求項２に記載のバックライトアセンブリ。
【請求項１７】  前記透明導電性部材は前記光拡散部の上部面にコーティングされた透明導電膜をさらに含むことを特徴とする請求項１６に記載のバックライトアセンブリ。
【請求項１８】  前記光拡散部を経た光をさらに拡散させるための補助光拡散部を前記集光部の下部にさらに含み、前記透明導電性部材は前記補助光拡散部の基底面にコーティングされた透明導電膜であることを特徴とする請求項２に記載のバックライトアセンブリ。
【請求項１９】  前記透明導電性部材は前記補助光拡散部の上部面にコーティングされた透明導電膜をさらに含むことを特徴とする請求項１８に記載のバックライトアセンブリ。
【請求項２０】  上部基板、液晶層、前記上部基板との合体により前記液晶層を収容し、外部から供給される低電圧により駆動され前記液晶層の配列を変更させる下部基板と、
前記下部基板の背面に配置された偏光手段と、
前記下部基板の下部に形成され外部で発生したノイズを遮断するためのノイズ遮断手段と、を含み、
前記ノイズ遮断手段は、前記偏光手段に添加された導電性粒子を含むことを特徴とする表示装置用ディスプレーパネル。
【請求項２１】  前記下部基板は、
透明基板と、
前記透明基板上に第１方向に形成されゲート信号を伝達するゲートラインと、
前記透明基板上に前記第１方向と相異する第２方向に形成されデータ信号を伝達するデータラインと、
第１端は前記ゲートラインと連結され、第２端は前記データラインに連結され、前記ゲート信号を基いて前記データ信号の出力を制御するスイッチング素子とを含むことを特徴とする請求項２０に記載の表示装置用ディスプレーパネル。
【請求項２２】  前記ノイズ遮断手段は前記透明基板の背面にコーティングされた透明導電膜であることを特徴とする請求項２１に記載の表示装置用ディスプレーパネル。
【請求項２３】  前記ノイズ遮断手段は８５％以上の透過率と、１０ｋΩ／ｍ2より小さい表面抵抗を有することを特徴とする請求項２０に記載の表示装置用ディスプレーパネル。
【請求項２４】  前記基板の背面に偏光手段をさらに含み、
前記ノイズ遮断手段は前記偏光手段に添加された導電性粒子であることを特徴とする請求項２０に記載の表示装置用ディスプレーパネル。
【請求項２５】  前記ノイズ遮断手段は導電性ポリマシートであることを特徴とする請求項２０に記載の表示装置用ディスプレーパネル。
【請求項２６】  上部基板、液晶層、前記上部基板との合体により前記液晶層を収容し、外部から供給される電圧により駆動され前記液晶層の配列を変更させる下部基板を含むディスプレーパネルと、
ａ）光を発生する光源部、およびｂ）前記光源部から射出される光の光学的特性を調節するための光調節手段を備えるバックライトアセンブリと、
前記光源部で発生されたノイズを遮断して前記ディスプレーパネルに対する電磁気的影響を防止するためのノイズ遮断手段と、
前記バックライトアセンブリと前記ディスプレーパネルを収容するための収納部とを含むことを特徴とする液晶表示装置。
【請求項２７】  前記ノイズ遮断手段は前記ディスプレーパネルの背面に形成される透明導電膜であることを特徴とする請求項２６に記載の液晶表示装置。
【請求項２８】  前記ディスプレーパネルは前記下部基板の下部に位置する偏光手段をさらに含み、前記ノイズ遮断手段は前記偏光手段に添加された導電性粒子であることを特徴とする請求項２６に記載の液晶表示装置。
【請求項２９】  前記光調節手段は、前記光源部の上部に位置して前記光源部で発生された光を拡散するための光拡散部と、前記光拡散部の上部に位置して前記光拡散部により拡散された光の輝度を向上するための集光部とを含み、前記ノイズ遮断手段は透明フィルム及び前記透明フィルムの表面に形成された透明導電膜を含むことを特徴とする請求項２６に記載の液晶表示装置。
【請求項３０】  前記透明導電性部材は前記光拡散部と前記集光部との間に位置することを特徴とする請求項２９に記載の液晶表示装置。
【請求項３１】  前記集光部は上部ポリマ、前記上部ポリマと対向する下部ポリマ及び前記上部ポリマと下部ポリマとの間で積層される相異する屈折率を有する複数のフィルムを備え、前記透明導電性部材は前記光拡散部と前記下部ポリマとの間に位置することを特徴とする請求項２９に記載の液晶表示装置。
【請求項３２】  前記透明導電性部材は前記光拡散部の下部に位置することを特徴とする請求項２９に記載の液晶表示装置。
【請求項３３】  前記集光部は上部ポリマ、前記上部ポリマと対向する下部ポリマ及び前記上部ポリマと下部ポリマとの間で積層される相異する屈折率を有する複数のフィルムを備え、前記透明導電性部材は上部ポリマの上部に位置することを特徴とする請求項２９に記載の液晶表示装置。
【請求項３４】  前記光拡散部を経た光をさらに拡散させるための補助光拡散部をさらに含み、前記透明導電性部材は前記光拡散部と前記補助光拡散部との間に位置することを特徴とする請求項２９に記載の液晶表示装置。
【請求項３５】  前記光調節手段は前記光源部の上部に位置して前記光源部で発生された光を拡散するための光拡散部と前記光拡散部の上部に位置して前記光拡散部により拡散された光の輝度を向上するための集光部とを含み、前記ノイズ遮断手段は前記集光部の基底面にコーティングされた透明導電膜を含むことを特徴とする請求項２６に記載の液晶表示装置。
【請求項３６】  前記集光部は上部ポリマ、前記上部ポリマと対向する下部ポリマ及び前記上部ポリマと下部ポリマとの間で積層される相異する屈折率を有する複数のフィルムを備えることを特徴とする請求項３５に記載の液晶表示装置。
【請求項３７】  前記ノイズ遮断手段は前記上部ポリマの上部面にコーティングされた透明導電膜をさらに含むことを特徴とする請求項３６に記載の液晶表示装置。
【請求項３８】  前記光調節手段は前記光源部の上部に位置して前記光源部で発生された光を拡散するための光拡散部と前記光拡散部の上部に位置して前記光拡散部により拡散された光の輝度を向上するための集光部とを含み、前記ノイズ遮断手段は前記光拡散部の背面に形成された透明導電膜を含むことを特徴とする請求項２６に記載の液晶表示装置。
【請求項３９】  前記ノイズ遮断手段は前記光拡散部の前面に形成された透明導電膜をさらに含むことを特徴とする請求項３８に記載の液晶表示装置。
【請求項４０】  前記光調節手段は前記光源部の上部に位置して前記光源部で発生された光を拡散するための光拡散部と、前記光拡散部を経た光をさらに拡散させるための補助光拡散部と、前記補助光拡散部の上部に位置して前記補助光拡散部により拡散された光の輝度を向上するための集光部とを含み、前記ノイズ遮断手段は前記補助光拡散部の背面に形成された透明導電膜を含むことを特徴とする請求項２６に記載の液晶表示装置。
【請求項４１】  前記ノイズ遮断手段は前記補助光拡散部の前面に形成された透明導電膜をさらに含むことを特徴とする請求項４０に記載の液晶表示装置。
【請求項４２】  前記収納部は基底面と前記基底面のエッジから延びる複数の側壁を備えて、前記基底面と前記複数の側壁により限定される収納空間の内部に前記バックライトアセンブリ及びディスプレーパネルが収容され、前記光調節手段及び前記ノイズ遮断手段は少なくとも一つの前記側壁に電気的に連結されることを特徴とする請求項２６に記載の液晶表示装置。
【請求項４３】  前記ノイズ遮断手段の背面に形成され、前記ノイズ遮断手段の領域のうち、前記下部基板の非有効ディスプレー領域に対応する一部領域が露出されるように開口された偏光手段と、
一端が前記偏光手段の開口された部分を通じて前記ノイズ遮断手段に連結され、他端が前記収納部に電気的に連結され前記ノイズ遮断手段を接地させる連結手段と
をさらに含むことを特徴とする請求項２６に記載の液晶表示装置。
【請求項４４】  前記連結手段を前記収納部に固定する固定手段を備えることを特徴とする請求項４３に記載の液晶表示装置。
【請求項４５】  前記固定手段は導電性クリップまたは導電性スクリューであることを特徴とする請求項４４に記載の液晶表示装置。
【請求項４６】  前記収納部は、
基底面と前記基底面のエッジから延びる複数の側壁により限定される収納空間を通じて前記バックライトアセンブリを収納する第１収納容器と、
互いに連結された複数の側壁と、前記側壁の上部で内側方向に一定長さ延び、前記ディスプレーパネルを前記バックライトアセンブリに固定し、前記ディスプレーパネルの有効ディスプレー領域を露出させるための端ジョー部を備える第２収納容器と
を含むことを特徴とする請求項２６に記載の液晶表示装置。